(57)【要約】【課題】  本発明は、綴じ処理設定がなされていないコピージョブの実行中に、搬送された原稿が綴じられていることを検知して、当該コピージョブを再度実行する前に、ユーザが綴じ処理設定をすることができるようにすることを目的とする。【解決手段】  本発明は、原稿を搬送する搬送手段と、前記原稿上の画像を読み取る読取手段と、前記画像を用紙に印刷する印刷手段と、前記画像の印刷された用紙を綴じる綴じ処理手段と、を有する画像形成装置において、前記原稿が綴じられた原稿であることを検知する検知手段と、前記検知手段による検知を受け付けて、前記原稿の搬送を中断する制御手段と、搬送が中断された前記原稿の読み取りを開始することを促す画面を表示する表示手段と、をさらに有し、前記画面は、前記綴じ処理手段による用紙の綴じ処理設定を受け付け可能な画面であることを特徴とする。【選択図】  図８
2019047269.tif 000002
【特許請求の範囲】
【請求項１】
原稿トレイに載置された原稿を搬送する搬送手段と、
前記搬送手段により搬送された前記原稿上の画像を読み取る読取手段と、
前記読取手段により読み取った前記画像を用紙に印刷する印刷手段と、
前記印刷手段により前記画像の印刷された用紙を綴じる綴じ処理手段と、を有する画像形成装置において、
前記搬送手段により搬送された前記原稿が綴じられた原稿であることを検知する検知手段と、
前記検知手段による検知を受け付けて、前記搬送手段による前記原稿の搬送を中断する制御手段と、
前記制御手段により搬送が中断された前記原稿の読み取りを開始することを促す画面を表示する表示手段と、をさらに有し、
前記画面は、前記綴じ処理手段による用紙の綴じ処理設定を受け付け可能な画面であることを特徴とする画像形成装置。
【請求項２】
前記表示手段は、前記綴じ処理手段による綴じ処理の設定がなされていないジョブの実行中に、綴じ処理の設定を受け付け可能な前記画面を表示することを特徴とする請求項１に記載の画像形成装置。
【請求項３】
実行中のコピージョブが前記綴じ処理手段により用紙を綴じる設定のなされたジョブであるか否かを判定する判定手段をさらに有する請求項１または２に記載の画像形成装置。
【請求項４】
前記検知手段は、前記原稿トレイの上方に設置されており、前記検知手段から前記原稿の上面までの距離に基づいて、前記搬送手段により搬送された原稿が綴じられた原稿であることを検知することを特徴とする請求項１乃至３のいずれか一項に記載の画像形成装置。
【請求項５】
前記検知手段は、前記検知手段から前記原稿の上面までの距離を計測し、計測した距離が所定の距離よりも短いことに従って、前記搬送手段により搬送されている原稿が綴じられた原稿であることを検知することを特徴とする請求項４に記載の画像形成装置。
【請求項６】
前記表示手段は、前記綴じ処理手段により用紙を綴じる設定がなされたコピージョブの実行中に前記検知手段による検知がなされた場合、綴じ処理の設定を受け付けない前記画面を表示することを特徴とする請求項１乃至５のいずれか一項に記載の画像形成装置。
【請求項７】
前記表示手段は、前記読取手段により読み取られる２枚目以降の原稿の搬送中に前記検知手段による検知がなされた場合、前記綴じ処理の設定を受け付けない前記画面を表示することを特徴とする請求項１乃至６のいずれか一項に記載の画像形成装置。
【請求項８】
前記検知手段による検知を行うか否かの設定を受け付ける受け付け手段を有することを特徴とする請求項１乃至７のいずれか一項に記載の画像形成装置。
【請求項９】
前記表示手段は、原稿のジャムの発生に従って、前記原稿を前記画像形成装置から取り除くことを促す画面を表示し、
前記原稿が前記画像形成装置から取り除かれたことに従って、前記原稿の読み取りを開始することを促す前記画面を表示することを特徴とする請求項１乃至８のいずれか一項に記載の画像形成装置。
【請求項１０】
前記綴じ処理手段による綴じ処理の設定を受け付ける前記画面は、前記綴じ処理手段による綴じ方または、綴じ位置の選択をユーザから受け付ける画面であることを特徴とする請求項１乃至９のいずれか一項に記載の画像形成装置。
【請求項１１】
前記表示手段は、前記綴じ処理手段により用紙を綴じる設定がなされていないコピージョブの実行中に前記検知手段による検知がなされた場合、前記コピージョブの中止を受け付け可能な前記画面を表示することを特徴とする請求項１乃至１０のいずれか一項に記載の画像形成装置。
【請求項１２】
前記検知手段は、前記搬送手段により金属を搬送したこと検知して、搬送された前記原稿が綴じられた原稿であることを検知することを特徴とする請求項１に記載の画像形成装置。
【請求項１３】
前記画像形成装置は、
前記原稿を搬送する方向と垂直となる方向に、前記原稿の有無を取得する取得手段を複数有し、
前記検知手段は、複数の前記取得手段により取得された用紙の有無を示す情報を用いて、前記原稿が綴じられた原稿であることを検知することを特徴とする請求項１に記載の画像形成装置。
【請求項１４】
前記表示手段が前記画面を表示する際に、前記綴じ処理手段により実行される綴じ処理の設定方法を音声で通知する通知手段をさらに有する請求項１乃至１３のいずれか一項に記載の画像形成装置。
【請求項１５】
前記検知手段は、前記原稿トレイの上方に設置されており、所定の時間おきに前記検知手段から前記原稿までの距離を計測し、計測された距離の変化量を用いて、前記原稿が綴じられた原稿であることを検知することを特徴とする請求項１に記載の画像形成装置。
【請求項１６】
原稿トレイに載置された原稿を搬送する搬送手段と、
前記搬送手段により搬送された前記原稿上の画像を読み取る読取手段と、
前記読取手段により読み取られた前記画像を用紙に印刷する印刷手段と、
前記印刷手段により前記画像の印刷された用紙を綴じる綴じ処理手段と、を有する画像形成装置において、
前記搬送手段により搬送された前記原稿が綴じられていた原稿であることを検知する検知手段と、
前記検知手段により綴じられていることが検知された前記原稿の搬送を中断する制御手段と、
前記制御手段により、搬送の中断された前記原稿の読み取りを開始することを促す画面を表示する表示手段と、をさらに有し、
前記画面は、実行中のジョブに対して、前記綴じ処理手段により実行される綴じ処理の設定がなされていないことを通知する画面であることを特徴とする画像形成装置。
【請求項１７】
前記画面は、前記実行中のジョブの設定を行う画面に画面を遷移させるための操作を受け付けることのできる画面であることを特徴とする請求項１６に記載の画像形成装置。
【請求項１８】
原稿トレイに載置された原稿を搬送する搬送工程と、
前記搬送工程において搬送された原稿上の画像を読み取る読取工程と、
前記読取工程において読み取った前記画像を用紙に印刷する印刷工程と、
前記印刷工程において前記画像の印刷された用紙を綴じる綴じ処理工程と、を有する画像形成装置の制御方法において、
前記搬送工程において搬送された原稿が綴じられた原稿であることを検知する検知工程と、
前記検知工程における検知に従って、前記搬送工程における原稿の搬送を中断する制御工程と、
前記制御工程において、搬送の中断された前記原稿の読み取りを開始することを促す画面を表示手段に表示させる表示工程と、をさらに有し、
前記画面は、前記綴じ処理工程において実行される綴じ処理の設定を受け付け可能な画面であることを特徴とする画像形成装置の制御方法。
【請求項１９】
原稿トレイに載置された原稿を搬送する搬送工程と、
前記搬送工程において搬送された前記原稿上の画像を読み取る読取工程と、
前記読取工程において読み取られた前記画像を用紙に印刷する印刷工程と、
前記印刷工程において、前記画像の印刷された用紙を綴じる綴じ処理工程と、を有する画像形成装置の制御方法において、
前記搬送工程において搬送された前記原稿が綴じられていた原稿であることを検知する検知工程と、
前記検知工程において、綴じられていることが検知された前記原稿の搬送を中断する制御工程と、
前記制御工程において、搬送の中断された前記原稿の読み取りを開始することを促す画面を表示する表示工程と、をさらに有し、
前記画面は、前記綴じ処理工程において実行される綴じ処理の設定がなされていないことを通知する画面であることを特徴とする画像形成装置の制御方法。
【請求項２０】
請求項１８または請求項１９に記載の画像形成装置の制御方法をコンピュータが実行するためのプログラム。
【発明の詳細な説明】
【技術分野】
【０００１】
本発明は、原稿を搬送して読み取り、読み取った画像を印刷する画像形成装置と当該画像形成装置の制御方法、ならびにプログラムに関する。
【背景技術】
【０００２】
原稿を１枚ずつ搬送して、読み取り、印刷するコピージョブを実行する画像形成装置において、画像の印刷された用紙をステイプル等で綴じて出力する画像形成装置が知られている。画像形成装置はユーザにより行われた綴じ処理設定に従って、用紙をステイプルで綴じて出力する。
【０００３】
一方で、綴じられた原稿を読み取りコピージョブを実行するときには、ユーザが綴じられた原稿のステイプル等を外してから、原稿台にセットして、コピージョブの開始を指示する必要がある。
【０００４】
上記のような画像形成装置において、ステイプル等で投じられた原稿が原稿トレイに置かれた状態で、ユーザによるコピージョブの開始が指示されたとき、搬送された原稿が綴じられた原稿であることを検知して、原稿の搬送を中断することが知られている。原稿の搬送が中断された後、ユーザは画像形成装置から原稿を取り出し、ステイプル等を外してから改めて原稿を原稿トレイに載置して、コピージョブの開始を指示する。このようにすることで、画像形成装置は先のコピージョブを再度初めから実行する。
【０００５】
引用文献１には、センサを用いて原稿束からシート給装装置に送られる原稿の一部の跳ね上がりを検知することで、原稿が綴じられた原稿であることを検知するシート給送装置が記載されている。
【先行技術文献】
【特許文献】
【０００６】
【特許文献１】特開２００１−２８５５９５号公報
【発明の概要】
【発明が解決しようとする課題】
【０００７】
画像形成装置が搬送した原稿が綴じられた原稿であると検知して、原稿の搬送を中断した場合、当該原稿はステイプル等で綴じられた原稿であり、ユーザは出力される印刷物を原稿と同様にステイプル等で綴じて出力したいことがある。しかしながら、ユーザがステイプル設定をせずにコピージョブを開始した場合、原稿の搬送が中断された後、そのままジョブのやり直しをしてしまうとステイプルで綴じられていない用紙が出力されてしまう。
【０００８】
そこで、本発明は、綴じ処理設定がなされていないコピージョブの実行中に、搬送された原稿が綴じられていることを検知して、当該コピージョブを再度実行する前に、ユーザが綴じ処理設定をすることができるようにすることを目的とする。
【課題を解決するための手段】
【０００９】
上記の課題を解決するために、本発明は以下の構成を有する。
【００１０】
原稿トレイに載置された原稿を搬送する搬送手段と、前記搬送手段により搬送された前記原稿上の画像を読み取る読取手段と、前記読取手段により読み取った前記画像を用紙に印刷する印刷手段と、前記印刷手段により前記画像の印刷された用紙を綴じる綴じ処理手段と、を有する画像形成装置において、前記搬送手段により搬送された前記原稿が綴じられた原稿であることを検知する検知手段と、前記検知手段による検知を受け付けて、前記搬送手段による前記原稿の搬送を中断する制御手段と、前記制御手段により搬送が中断された前記原稿の読み取りを開始することを促す画面を表示する表示手段と、をさらに有し、前記画面は、前記綴じ処理手段による用紙の綴じ処理設定を受け付け可能な画面であることを特徴とする。
【００１１】
また、本発明は以下の構成を有する。原稿トレイに載置された原稿を搬送する搬送手段と、前記搬送手段により搬送された前記原稿上の画像を読み取る読取手段と、前記読取手段により読み取られた前記画像を用紙に印刷する印刷手段と、前記印刷手段により前記画像の印刷された用紙を綴じる綴じ処理手段と、を有する画像形成装置において、前記搬送手段により搬送された前記原稿が綴じられていた原稿であることを検知する検知手段と、前記検知手段により綴じられていることが検知された前記原稿の搬送を中断する制御手段と、前記制御手段により、搬送の中断された前記原稿の読み取りを開始することを促す画面を表示する表示手段と、をさらに有し、前記画面は、実行中のジョブに対して、前記綴じ処理手段により実行される綴じ処理の設定がなされていないことを通知する画面であることを特徴とする。
【発明の効果】
【００１２】
本発明によれば、綴じ処理設定がなされていないコピージョブの実行中に、搬送された原稿が綴じられていることを検知して、当該コピージョブを再度実行する前に、ユーザが綴じ処理設定をすることを可能にする。
【図面の簡単な説明】
【００１３】
【図１】本実施形態に係る画像形成装置の外観の例を示す図である。
【図２】本実施形態のＡＤＦ１００と画像読取部２００の構成例を模式的に示す図である。
【図３】本実施形態の画像形成装置１０００の構成を示すブロック図である。
【図４】本実施形態の画像形成装置１０００の操作部４０５の外観を示す図である。
【図５】本実施形態の画像形成装置１０００において、コピージョブの設定を行うときにＬＣＤディスプレイに表示される画面の一例を示す図である。
【図６】本実施形態の画像形成装置１０００において、ステイプル設定を行うときにＬＣＤディスプレイに表示される画面の一例を示す図である。
【図７】本実施形態の画像形成装置１０００において、紙詰まりが発生したときにＬＣＤディスプレイに表示される画面の一例を示す図である。
【図８】本実施形態の画像形成装置１０００において、ＡＤＦ１００で綴じられた原稿が搬送されたときにＬＣＤディスプレイに表示される画面の一例を示す図である。
【図９】本実施形態の画像形成装置１０００において、コピージョブの実行時に実行される処理を示すフローチャートである。
【図１０】本実施形態の画像形成装置１０００において、スキャン処理の実行時に実行される処理を示すフローチャートである。
【図１１】本実施形態の画像形成装置１０００において、搬送した原稿が綴じられた原稿であることを検知するための処理を示すフローチャートである、
【図１２】本実施形態の画像形成装置１０００において、紙詰まりが発生したときに実行される処理を示すフローチャートである。
【発明を実施するための形態】
【００１４】
以下、本発明を実施するための形態について図面を用いて説明する。
【００１５】
図１は、本実施形態の画像形成装置１０００の外観例を示す図である。
【００１６】
画像読取手段である画像読取部２００は、照明ランプの発光によって原稿上の画像を露光走査して反射光を得る。そして、画像読取部２００は得られた反射光をリニアイメージセンサ（ＣＣＤセンサ）に入力することで画像の情報を電気信号に変換する。画像読取部２００は電気信号をＲ、Ｇ、Ｂ各色からなる輝度信号に変換し、当該輝度信号を画像データとして後述するコントローラ部４００に出力する。
【００１７】
原稿は、自動原稿給紙部（以下、ＡＤＦ）１００の原稿トレイ３０にセットされる。ユーザが後述する操作部４０５から読み取り開始を指示すると、後述するコントローラ部４００は、画像読取部２００に対して原稿読み取り指示を送る。画像読取部２００は、この指示を受けとり、ＡＤＦ１００の原稿トレイ３０から原稿を１枚ずつ搬送して原稿の読み取り動作を実行する。また、画像読取部２００は、原稿台ガラス上に載置された原稿上の画像を読み取ることができる。
【００１８】
画像形成部５００は、コントローラ部４００から受取った画像データに基づく画像を用紙上に形成する画像形成デバイスである。
【００１９】
本実施形態における画像形成装置１０００の画像形成方式は、感光体ドラムや感光体ベルトを用いた電子写真方式である。ただし、画像形成の方式は上記に方式に限らない。例えば、画像形成装置１０００がインクジェット方式を用いた画像形成装置であってもよい。また、画像形成部５００は、給紙ユニット５０４として異なる用紙サイズ又は異なる用紙向きに対応可能な複数のカセットを備える。フィニッシャユニット５０５は、画像が形成された用紙をステイプルで綴じたり、パンチ穴をあけたりする後処理を行うユニットである。また、排紙ユニット５０２は、画像が形成された用紙が画像形成装置１０００およびフィニッシャユニット５０５から排紙される箇所である。
【００２０】
図２は、本実施形態のＡＤＦ１００と画像読取部２００の構成例を模式的に示す図である。
【００２１】
（ＡＤＦ１００の構成例）
ＡＤＦ１００の動作について、図２を参照して説明する。図２に示すＡＤＦ１００は、１枚以上の原稿で構成される原稿束Ｓを積載する原稿トレイ３０と、原稿の搬送開始前に原稿束Ｓが原稿トレイ３０より突出して下流へ進出することを規制する分離パッド２１と、原稿を搬送する給紙ローラ１とを有する。さらに、ＡＤＦ１００は、原稿トレイ３０上に原稿が載置されていることを検知する原稿検知センサ２３と、原稿束Ｓの最上面との距離を計測する測距センサ２２、原稿が分離ローラ２を通過したことを検知する分離センサ２４とを有する。給紙ローラ１は、原稿トレイ３０に載置された原稿束Ｓの原稿面に落下し、回転して原稿を搬送する。これにより、原稿束Ｓの最上面の原稿がＡＤＦ１００に給紙される。給紙ローラ１によって搬送された原稿は、分離ローラ２と分離パッド２１の作用によって１枚毎に分離される。この分離は周知のリタード分離技術によって実現されている。分離ローラ２と分離パッド２１の作用により、画像形成装置１０００は複数枚の原稿で構成される原稿束Ｓから最上面にある原稿のみを搬送することができる。
【００２２】
このとき、原稿の搬送が開始されてから一定時間（ｔ１）経過しても、分離センサ２４で原稿を検知しない場合、ＡＤＦ１００は搬送する原稿がないとして給紙ローラ１等ローラの駆動を停止する。ローラ駆動を停止するまでの一定時間（ｔ１）は、用紙の搬送速度に従って予想された時間であり、用紙が分離センサ２４まで到達するのにかかる時間に十分な時間を加えた時間である。
【００２３】
分離ローラ２と分離パッド２１によって分離された原稿は、搬送ローラ３により、レジストローラ４へ搬送され、レジストローラ４に原稿が突き当てられる。レジストローラ４の下流側には、レジストローラ４を通過した原稿を流し読みガラス２０１方向へ搬送する給紙パスが配置される。
【００２４】
給紙パスに送られた原稿は、大ローラ７及び搬送ローラ５によりプラテン上に送られる。大ローラ７により搬送された原稿は、搬送ローラ６を通過し、ローラ１６と移動ガラスの間を移動して、排紙フラッパ及び排紙ローラ８を介して原稿排紙トレイ３１へ排出される。
【００２５】
図２のＡＤＦ１００は、排紙ローラ８に原稿を噛ませた状態で、排紙ローラ８を逆回転させて排紙フラッパを切り替える。これにより、ＡＤＦ１００は反転パス１９へ原稿を移動させる。そして、ＡＤＦ１００は、反転パス１９に移動した原稿を反転パス１９からレジストローラ４へ突き当てる。その後、搬送ローラ５及び大ローラ７により、再び原稿を流し読みガラス２０１へ移動させ、ＡＤＦ１００は原稿の裏面を読み取る。
【００２６】
また、原稿トレイ３０には、載置された原稿の副走査方向にスライド可能なガイド規制板１５が設けられているとともに、このガイド規制板に連動して原稿幅を検出する原稿幅検知センサ（図示せず）が設けられている。上記、原稿幅検知センサとレジ前センサ１１との組み合わせにより、ＡＤＦ１００は、原稿トレイ３０上に積載された原稿の原稿サイズが判別可能となる。また、ＡＤＦ１００は、搬送パス内に設けられた原稿長検知センサ（図示せず）により、搬送中の原稿の先端検知から後端検知までの搬送距離から原稿長を検出する。また、ＡＤＦ１００は、検知した原稿長と上記原稿幅検知センサとの組み合わせからも、原稿サイズを判別することができる。
【００２７】
また、測距センサ２２は、原稿トレイ３０に積載された原稿束Ｓの上方に設置され、測距センサ２２から原稿束Ｓの最上面までの距離を計測するセンサである。測距センサ２２は、原稿束Ｓの最上面までの距離を計測できればどのようなセンサであってもよい。本実施形態では、測距センサ２２から原稿束Ｓに光を照射し、その反射光を計測するまでの時間に応じて、原稿束Ｓの最上面までの距離を計測するものとする。ＡＤＦ１００は、原稿の搬送を開始してから所定の時間（ｔ２）が経過した後に、測距センサ２２で原稿までの距離を計測する。そして、ＡＤＦ１００は、測距センサ２２が計測した距離が所定の距離よりも短い場合に、原稿束Ｓが綴じられていることを検知する。このとき、ｔ１＞ｔ２とすることで、ジャムが発生する前に、原稿束Ｓが綴じられていることを検知することができる。
【００２８】
（画像読取部２００の構成例）
画像読取部２００は、光学スキャナユニット２０９を図２の矢印に示す副走査方向に動かして、原稿台ガラス２０２上に載置された原稿上の画像を光学的に読み取る。また、画像読取部２００は、ＡＤＦ１００で原稿を読み取る際に、光学スキャナユニット２０９をＡＤＦ１００の大ローラ７の読取中心位置Ｒまで移動させる。そして、画像読取部２００は、流し読みガラス２０１へ１枚ずつ搬送される原稿上の画像を、光学スキャナユニット２０９により読み取る。
【００２９】
ＡＤＦ１００上の原稿、又は原稿台ガラス２０２上の原稿は、次の光学系で読み取られる。この光学系は、流し読みガラス２０１、原稿台ガラス２０２、ランプ２０３とミラー２０４を有する光学スキャナユニット２０９、ミラー２０５及び２０６、レンズ２０７、ＣＣＤセンサユニット２１０で構成される。また、白板２１９は、シェーディングによる白レベルの基準データを作成するための白板である。
【００３０】
本実施形態において、ＣＣＤセンサユニット２１０は、カラー画像読取用（ＲＧＢ）ＣＣＤ（３ラインセンサユニット）２１２、白黒画像読取用ＣＣＤ（１ラインセンサユニット）２１１で構成される。
【００３１】
図３は、本実施形態の画像形成装置１０００の構成を示すブロック図である。
【００３２】
（ＡＤＦ１００の制御ブロック）
ＡＤＦ１００の制御ブロックは、中央演算処理部である制御手段（以下、ＣＰＵ）３００、リードオンリーメモリ（以下、ＲＯＭ）３０１、ランダムアクセスメモリ（以下、ＲＡＭ）３０２、出力ポート、及び、入力ポートを備えている。ＲＯＭ３０１には、制御用プログラムや固定パラメータが格納されており、ＲＡＭ３０２には、入力データや作業用データが格納されている。
【００３３】
出力ポートには、各種搬送用のローラを駆動するモータ３０３、ソレノイド３０６、クラッチ３０７が接続されており、入力ポートには、各種センサ３０４がそれぞれ接続されている。
【００３４】
ＣＰＵ３００は、バスラインを介して接続されたＲＯＭ３０１に格納された制御プログラムにしたがって、ＡＤＦ１００の紙搬送を制御する。ＣＰＵ３００は、画像読取部２００の中央演算処理部（ＣＰＵ）３２１と制御用通信線３５１を介してシリアル通信を行い、画像読取部２００との間で制御データの授受を行う。また、原稿画像データの先端の基準となる信号が制御用通信線３５１を通して画像読取部２００に通知される。
【００３５】
またＣＰＵ３００は、画像読取部２００のＣＰＵ３２１からの制御データに応じて、各種センサ３０４の値を画像読取部２００に通知する。なお、各種センサ３０４の値の中には、測距センサ２２で測定した距離データが含まれる。
【００３６】
（画像読取部２００の制御ブロック）
画像読取部２００の制御ブロックにおいて、３２１はＣＰＵであり、画像読取部２００全体の制御を行っている。ＣＰＵ３２１にはプログラムを格納するＲＯＭ３２２、ワーク領域を提供するＲＡＭ３２３が接続される。なお、ＲＡＭ３２３は不揮発性の記憶を行う領域を含むワーク領域である。
【００３７】
光学系モータドライバ部３２６は、光学系駆動モータを駆動させるためのドライバ回路である。画像読取部２００には、ランプ２０３、ＣＣＤセンサユニット２１０（表面画像用の白黒画像読取用ＣＣＤ２１１／表面画像用のカラー画像読取用ＣＣＤ２１２）が接続されている。ＣＰＵ３２１は、光学系モータドライバ部３２６を制御し、画像処理部３２５を介してＣＣＤセンサユニット２１０を制御することで画像読取処理を実行する。
【００３８】
ＣＰＵ３２１はＡＤＦ１００の紙搬送制御用のＣＰＵ３００に制御用通信線３５１を介して紙搬送制御についてのコマンドを送信する。当該コマンドを受信したＣＰＵ３００が、搬送パス上に設置されている各種センサ３０４の値を取得し、負荷である搬送用のモータ３０３、ソレノイド３０６、クラッチ３０７を駆動することで、紙搬送が実現される。このように、ＣＰＵ３２１はＡＤＦ１００による紙搬送と、画像読取部２００による画像読取制御を行う。紙間補正処理部３２４は、ＡＤＦ１００が搬送する原稿の間隔を制御する制御部である。原稿トレイ３０に載置された原稿の種類によっては、搬送時に原稿と原稿の間が均一にならないことがある。そこで紙間補正処理部３２４は、ＡＤＦ１００により搬送される原稿の間隔が一定となるよう制御を行う。
【００３９】
レンズ２０７でＣＣＤセンサユニット２１０（カラー画像読取用（ＲＧＢ）ＣＣＤ２１２、白黒画像読取用ＣＣＤ２１１のいずれか）上に結像された画像信号は、デジタル信号に変換される。デジタル信号に変換された画像データは、さらに画像処理部３２５でシェーディングをはじめとして、画像データ上のスジ画像等を検知して補正するための各種画像処理を施されて、画像メモリ３２９に書き込まれる。
【００４０】
画像メモリ３２９に書き込まれたデータは順次、画像転送用クロック信号線を含むコントローラ・インタフェースの画像データ情報通信線３５３を通してコントローラ部４００へ送信される。さらに、原稿画像データの先端の基準となる画先信号は、ＣＰＵ３２１でタイミングを調整して、コントローラ・インタフェースの制御用通信線３５２を通してコントローラ部４００へ通知される。ＡＤＦ１００からの通信ラインで通知される画先信号についても、同様に画像読取部２００のＣＰＵ３２１でタイミングを調整して、コントローラ・インタフェースの制御用通信線３５２を通してコントローラ部４００へ通知される。
【００４１】
ＣＰＵ３２１は制御バスライン上に接続された画像処理部３２５を制御する。さらに、ＣＰＵ３２１は、画像処理部３２５を介して制御用通信線３５４から制御信号をＣＣＤセンサユニット２１０に伝達することで、ＣＣＤセンサユニット２１０を制御する。ＣＣＤセンサユニット２１０は原稿画像を走査して、原稿上の画像をカラー画像読取用ＣＣＤ２１２あるいは白黒画像読取用ＣＣＤ２１１により読み取る。そして、読み取られた１ラインごとのアナログの画像信号が、画像転送用クロック信号線を含む画像データ通信線２１４あるいは２１５からＣＣＤ制御部２１３に出力される。
【００４２】
ＣＣＤ制御部２１３はアナログ信号をデジタル画像データに変換する。変換されたデジタル画像データは画像転送用クロック信号線を含む画像データ情報通信線３５５から画像メモリ３２９に送られる。画像メモリ３２９に送られたデジタル画像データは画像データ情報通信線３５３を通してコントローラ部４００へ送信される。
【００４３】
ＣＰＵ３２１は、コントローラ部４００の中央演算処理部（ＣＰＵ）４０１と画像データ情報通信線３５３を介してシリアル通信を行い、コントローラ部４００との間で制御データの授受を行う。本実施形態においては、ＣＰＵ４０１が原稿の形状が異常である通知を受け付けたことに従って、ＣＰＵ４０１は搬送されている原稿がステイプル等で綴じられた原稿であると判定する。
【００４４】
（コントローラ部４００の制御ブロック）
画像処理用のコントローラ部４００は、ＡＤＦ１００、画像読取部２００、画像形成部５００を含む画像形成装置１０００の全体を制御する装置である。コントローラ部４００は、ＣＰＵ４０１、画像処理回路４０２、スキャナＩＦ４０３、画像メモリ４０４、操作部４０５、ワーク領域を提供するＲＡＭ４０６、プログラムを格納するＲＯＭ４０７、プリンタＩＦ４０８、ＨＤＤ４０９を有している。なお、ＲＡＭ４０６は不揮発性の記憶を行う領域も含むワーク領域である。本実施形態ではＲＯＭ４０７にプログラムが格納されているとするが、プログラムをＨＤＤ４０９からＲＡＭ４０６にロードしてＣＰＵ４０１で実行する構成であってもよい。
【００４５】
画像データ情報通信線３５３を通じてコントローラ部４００へ送信された画像データは、スキャナＩＦ４０３を通じて、画像メモリ４０４に記憶される。
【００４６】
画像処理回路４０２は、画像メモリ４０４上にある画像を、画像変換し、再度、画像メモリ４０４に記憶する。画像処理回路４０２が行う画像変換処理は、例えば３２画素×３２画素単位の画像を指定された角度で回転する回転処理、画像の解像度を変換する解像度変換処理である。さらに、画像処理回路４０２は、画像を変倍する変倍処理、多値入力された画像をマトリクス演算、およびＬＵＴによりＹＵＶ画像をＬａｂ画像に変換する色空間変換処理等を実行する。
【００４７】
操作部４０５はＬＣＤディスプレイとＬＣＤディスプレイ上に張り付けられたタッチパネル入力装置と、複数個のハードキーを有する。タッチパネルまたはハードキーにより入力された信号はＣＰＵ４０１に伝えられる。ＬＣＤディスプレイは、本画像形成装置の操作における機能表示や画像データ等を表示する。
【００４８】
ＣＰＵ４０１はコントローラ・インタフェースの制御用通信線３５６を通して、画像形成部５００から画先信号を受信する。ＣＰＵ４０１は、受信した画先信号に基づいて画像メモリ４０４に書き込まれたデータを順次、画像形成部５００へ送信する。
【００４９】
本実施形態では、上記で説明した複数のＣＰＵが協働して以下の処理を実行するとするが、ひとつのＣＰＵが以下の処理を実行する構成であっても構わない。また、上記の複数または単数のＣＰＵを有するコンピュータが以下の処理を実行するとしてもよい。
【００５０】
（画像形成部５００の制御ブロック）
画像形成部５００は、用紙を搬送し、その上に画像データを可視画像として印字して装置外に排紙する。画像形成部５００は、画像形成部５００を制御する制御部５０１と、複数種類の記録紙カセットを持つ給紙ユニット５０４と、画像データを記録紙に転写、定着させる機能を持つマーキングユニット５０３から構成される。さらに、画像形成部５００は画像の形成された用紙を画像形成部５００の外へ出力する機能を持つ排紙ユニット５０２、パンチ処理、ソート処理等の後処理を行うフィニッシャ部（フィニッシャユニット）５０５とで構成される。
【００５１】
制御部５０１は、マーキングユニット５０３で画像形成の準備が整った場合に、先端の基準となる画先信号をコントローラ・インタフェースの制御用通信線３５６を通してコントローラ部４００へ送信する。
【００５２】
そして、マーキングユニット５０３は、コントローラ・インタフェースの画像通信線３５７を通して送られてきた画像データから生成される画像を用紙に転写、定着する。
【００５３】
以下、図４を参照して、画像形成装置１０００の操作部４０５について説明する。ＬＣＤディスプレイ６００は、ユーザが使用する機能を選択したり、画像形成装置１０００の状況を表示したりする。テンキー６０１は０〜９までの数値を入力するためのキーである。ＩＤキー６０２は、装置が部門管理されている場合に部門番号と暗証モードを入力する際に使用されるキーである。
【００５４】
リセットキー６０３は設定されたジョブの設定値をリセットするためのキーであり、ガイドキー６０４は各モードについての説明画面を表示するためのキーである。割り込みキー６０６は割り込みコピーをユーザが画像形成装置１０００に指示するためのキーである。
【００５５】
スタートキー６０７はコピーやスキャンをスタートさせるためのキーであり、ストップキー６０８は実行中のジョブを中止させるためのキーである。
【００５６】
ユーザモードキー６０５はＬＣＤタッチパネルにユーザモード画面を表示させるためのキーである。ユーザモード画面は、ユーザが画像形成装置１０００に関する各種の設定を行うための画面である。
【００５７】
節電キー６０９は、ユーザが画像形成装置１０００の状態を通常状態から節電状態に切り替えることを指示するためのキーである。ユーザが節電キー６０９を押下すると画像形成装置１０００の状態が通常状態から節電状態に移行する、そして、ユーザが節電キー６０９を再度押下すると画像形成装置１０００が節電状態から復帰する。
【００５８】
カウンタ確認キー６１０は、それまでにユーザが使用したコピー枚数の集計を表示するカウント画面をＬＣＤディスプレイ６００に表示するためのキーである。
【００５９】
ＬＥＤ６１１はジョブの実行中、画像メモリへの画像蓄積中を示すＬＥＤであり、ＬＥＤ６１２はジャム、ドアオープン等装置がエラー状態にあることを示すエラーＬＥＤである。さらに、ＬＥＤ６１３は装置のメインスイッチがＯＮになっていることを示す電源ＬＥＤである。
【００６０】
図５〜図８を用いて、本実施形態における、画像形成装置１０００の動作を説明する。
【００６１】
図５はＬＣＤディスプレイに表示されるコピージョブの設定画面である。
【００６２】
「コピー」画面７００は、コピージョブの基本的な設定として、「カラー選択」７５１、「倍率」７５２、「用紙選択」７５３を設定する画面である。ユーザは、設定したい項目をタップ操作し、コピージョブの設定値を設定する。そして、ユーザにより設定された設定値は領域７５０に表示される。「その他の機能」７５８は、「コピー」画面７００では設定することのできない設定項目の設定を行うためのボタンである。その他の設定項目とは、たとえば、印刷時に印刷するページ番号に関する設定を行うページ印字設定や、複数ページを１枚のシートに印刷するためのページ集約設定や製本設定である。
【００６３】
その他の設定項目からユーザがよく使う設定項目を設定するためのキーをショートカットキーとして「コピー」画面７００に表示することができる。「両面」７５４、「濃度」７５５、「仕上げ」７５６、「綴じ原稿検知」７５７はその他の設定項目からショートカットキーとして設定された項目である。「両面」７５４は、両面印刷を行うか片面印刷を行うかを設定するためのボタンである。「濃度」７５５は、印刷時の濃度を設定するためのボタンである。「仕上げ」７５６は、画像の印刷されたシートを排紙する時の方法や、後処理を設定するためのボタンである。「綴じ原稿検知」７５７は、ＡＤＦ１００の原稿トレイ３０に載置された原稿が綴じられた原稿であることを検知するか否かを設定するためのボタンである。
【００６４】
「綴じ原稿検知」画面９００はユーザが「コピー」画面７００において、「綴じ原稿検知」７５７をタップ操作したときにＬＣＤディスプレイ６００に表示される画面である。ボタン９０１はコピージョブにおいてＡＤＦ１００が搬送した原稿が綴じられた原稿かどうかを検知するモードを有効するためのボタンである。一方、ボタン９０２は、ＡＤＦ１００が搬送した原稿が綴じられた原稿かどうかの検知を無効にするボタンである。ユーザはボタン９０１とボタン９０２のいずれか一方を選択することができる。ユーザが「ＯＫ」ボタン９０３をタップ操作することによって、ボタン９０１またはボタン９０２で選択されたモードがＲＡＭ４０６に記憶される。綴じ原稿検知設定のデフォルトの設定は、綴じられた原稿を検知するモードが有効である。ユーザによる綴じ原稿の検知を無効とする設定への変更がなければ、ＡＤＦ１００は常に綴じ原稿の検知を有効とするモードで原稿を搬送する。綴じ原稿検知モードが有効な場合、ＡＤＦ１００が綴じられた原稿の搬送を検知したときに原稿の搬送を中断する。
【００６５】
本実施形態では、綴じ原稿検知が有効に設定されているとする。
【００６６】
図５の「仕上げ」画面８００はユーザが「コピー」画面７００の「仕上げ」７５６をタップ操作したときにＬＣＤディスプレイ６００に表示される後処理を設定する設定画面の一例を示す図である。
【００６７】
「ソート」８０１、「グループ」８０２は、コピージョブにおいて複数部印刷する場合に、用紙をページ順に部数分出力するソート出力か、各ページを部数分ずつ出力するグループ出力かを設定するボタンである。「ステイプル」８０３は、画像の印刷された用紙をステイプルで綴じる場合の綴じ方や綴じ位置の設定をするボタンである。「パンチ」８０４は、用紙に穴を開ける場合の穴の数や位置を設定するためのボタンである。「折り設定」８０５は画像の印刷された用紙の折り位置や折り方を設定するためのボタンである。ユーザが「ステイプル」８０３、「パンチ」８０４、「折り設定」８０５のいずれかをタップ操作してから、「次へ」８０６をタップ操作することで、後処理の詳細を設定することができる。
【００６８】
図６は、「仕上げ」画面８００において、ユーザが「ステイプル」８０３をタップ操作した後に、「次へ」８０６をタップ操作したときにＬＣＤディスプレイ６００に表示される画面の一例である。
【００６９】
「コーナー設定」画面１１０１は、用紙の四隅のうちいずれか一か所をステイプルで綴じる場合の設定画面である。ユーザは「コーナー」１１０３をタップ操作してから、「左上」「右上」「左下」「右下」からステイプルで綴じる箇所をタップ操作して選択する。そして、ユーザが「ＯＫ」をタップ操作することでステイプルの設定が完了する。
【００７０】
「ダブル設定」画面１１０２は、用紙の左右いずれかの辺上の二か所をステイプルで綴じる場合の設定画面である。ユーザが「ダブル」１１０４をタップ操作してから、「左」「右」のいずれか一方を選択して、「ＯＫ」をタップ操作することでステイプルの設定が完了する。
【００７１】
ユーザが「パンチ」８０４、「折り設定」８０５を選択した場合、「ステイプル」８０３と同様に、ユーザが「次へ」８０６することによって不図示の詳細な設定を行う画面をＬＣＤディスプレイ６００に表示する。
【００７２】
上記の方法でユーザはコピージョブの開始前に、画像の印刷された用紙をステイプルで綴じるための綴じ処理設定を行うことができる。
【００７３】
ユーザがコピージョブに関する設定を終えた後、ＡＤＦ１００の原稿トレイ３０にステイプル等で綴じられた原稿を載置した状態で、スタートキー６０７を押下したとする。
【００７４】
ＡＤＦ１００は原稿トレイ３０に載置された原稿の搬送を開始する。その後、測距センサ２２により、原稿と測距センサ２２の距離を計測する。綴じられた原稿が搬送される場合、原稿の形状が歪み、原稿が測距センサ２２に近づく。ＡＤＦ１００は測距センサ２２により計測される距離が所定の閾値以下となったことに従って、搬送されている原稿が綴じられた原稿であると判定し、原稿の搬送を中断する。
【００７５】
図７は、原稿の搬送が中断されたときにＬＣＤディスプレイ６００に表示される画面９００である。画面９００は、原稿は原稿の搬送が正常に継続できなくなった場合に表示される画面であり、綴じられた原稿の搬送や紙詰まりの発生に伴いＬＣＤディスプレイ６００に表示される画面である。画面９００を見たユーザは、ＡＤＦ１００から原稿を取り除く。
【００７６】
ここで、実行中のコピージョブがステイプル設定のなされていないコピージョブであったとする。ＡＤＦ１００は原稿が取り除かれたことを検知すると、ＬＣＤディスプレイ６００に図８に示す通知画面１００１を表示させる。通知画面１００１は、搬送の中断された原稿が綴じられた原稿であることをユーザに通知し、当該原稿のステイプルを外すことをユーザに促すための画面である。さらに、通知画面１００１は原稿を読み取り開始時の状態に戻して、再度、原稿トレイ３０に載置して、原稿の読み取りを開始することをユーザに促すための画面でもある。
【００７７】
ユーザが原稿を再度、原稿トレイ３０に載置したのち、スタートキー６０７を押下すると、画像形成装置１０００は先のコピージョブと同様の設定でジョブを実行する。
【００７８】
一方で、「中止」１００５は、当該コピージョブを中止するためのボタンである。ユーザが「中止」１００５をタップ操作すると、ＬＣＤディスプレイ６００にデフォルト設定値が表示された「コピー」画面７００が表示される。本実施形態では、「中止」１００５がタップ操作されたことに従って、ＬＣＤディスプレイ６００にデフォルト設定の設定値を反映した「コピー」画面７００が表示されるとした。しかし、「中止」１００５がタップ操作されたときに、実行中のコピージョブの設定値を反映した「コピー」画面７００をＬＣＤディスプレイ６００に表示させるようにしてもよい。このとき、デフォルト設定の設定値を反映した画面を表示するか、実行中のコピージョブの設定値を反映した画面を表示するかをユーザがユーザモードから設定できるとする。
【００７９】
「ステイプル設定」１００４は、ユーザがステイプル設定を行うためのボタンである。ユーザが「ステイプル設定」１００４をタップ操作すると、図６に記載の「コーナー設定」画面１１０１または、「ダブル設定」画面１１０２がＬＣＤディスプレイ６００に表示される。ユーザが「コーナー設定」画面１１０１または「ダブル設定」画面１１０２において、「ＯＫ」をタップ操作すると、指定されたステイプルの設定がＲＡＭ４０６に記憶される。そして、ＬＣＤディスプレイ６００に通知画面１００１が再表示される。
【００８０】
このように、ユーザが綴じられた原稿を原稿トレイ３０にセットしてコピージョブを開始した場合に、画像形成装置は原稿が綴じられていることを検知して、ＬＣＤディスプレイ６００に通知画面１００１を表示する。このようにすることで、原稿の搬送が中断され、コピージョブを再度、実行する前にユーザが「ステイプル設定」１００４をタップ操作して綴じ処理設定を行うことができる。
【００８１】
すでにステイプル設定がなされた状態で、ＡＤＦ１００が綴じられた原稿を搬送した場合、綴じられた原稿の搬送が中断された後、図８の通知画面１００２がＬＣＤディスプレイ６００に表示される。実行が中断されたコピージョブはすでにステイプル設定がなされているため、改めてステイプル設定を行う必要はない。そこで通知画面１００２は通知画面１００１と異なり、「ステイプル設定」１００４を表示しない。
【００８２】
さらに、ＡＤＦ１００で搬送された原稿が綴じられた原稿でない場合に、原稿搬送中に原稿のジャムを検知することがある。このときには、図８の通知画面１００３がＬＣＤディスプレイ６００に表示される。搬送中の原稿は綴じられた原稿ではないため、ステイプルを外すことを示すメッセージと、「ステイプル設定」１００４は表示されない。
【００８３】
通知画面１００１〜１００３のいずれの画面がＬＣＤディスプレイ６００に表示された場合も、ユーザがスタートキー６０７を押下すると、ＡＤＦ１００が原稿の読み取りを開始し、画像形成装置１０００はコピージョブを実行する。このとき、すでに原稿を読み取って画像データの生成が完了しているページについて、画像形成装置は画像の読み取りを行わず、当該原稿の搬送のみを行う。
【００８４】
図９〜図１２を用いて、画像形成装置１０００が原稿を読み取りコピージョブを実行する時に行う処理を説明する。
【００８５】
図９のＳ６０１、Ｓ６０３、Ｓ６０５、Ｓ６０７、Ｓ６０８はＣＰＵ４０１がＲＯＭ４０７に記憶されたプログラムを実行することで処理が実現される。図９のＳ８０２は、ＣＰＵ３００がＲＯＭ３０１に記憶されたプログラムを実行することで実現される。さらに、図９のＳ６０６はＣＰＵ３２１がＲＯＭ３２２に記憶されたプログラムを実行することにより実現される。Ｓ６０４に記載の処理はＣＰＵ３００、ＣＰＵ３２１、ＣＰＵ４０１が協働して処理を実行する。Ｓ６０４に記載の処理については、図１０を用いて後述する。
【００８６】
ＣＰＵ４０１は、コピージョブの実行指示を受け付けたか否かを判定する（Ｓ６０１）。ＣＰＵ４０１は、Ｓ６０１において、スタートキー６０７が押下されたか否かを判定する。
【００８７】
コピージョブの実行指示を受け付けた場合、ＣＰＵ４０１は後述のＳ６０２に処理を進める。一方、コピージョブの実行指示を受け付けていない場合、ＣＰＵ４０１はコピージョブの実行指示を受け付けるまでＳ６０１の処理を繰り返す。
【００８８】
コピージョブの実行指示を受け付けてから、ＣＰＵ３００は、原稿トレイ３０上に原稿が載置されているか否かを判定する（Ｓ６０２）。ＣＰＵ３００は、原稿検知センサ２３による検知信号を受信することによって原稿トレイ３０に原稿が載置されているか否かを判断する。ＣＰＵ３００は原稿が原稿トレイ３０に載置されていると判定した場合、ＣＰＵ３２１を介して原稿トレイ３０に原稿が載置されている旨の通知をＣＰＵ４０１に送信する。
【００８９】
ＣＰＵ４０１は、原稿トレイ３０上に原稿が載置されている旨の通知を受け取って、後述するＳ６０３に処理を進める。一方、原稿トレイ３０上に原稿が載置されていない場合、ＣＰＵ３２１は原稿台ガラス２０２に原稿が置かれていると判定する。そして、ＣＰＵ３２１は、原稿台ガラス２０２に載置された原稿を読み取りスキャン処理を実行する（Ｓ６０６）。ＣＰＵ３２１は原稿台ガラス２０２に載置された原稿の読み取りを完了した後、ＣＰＵ４０１に原稿の読み取りを完了したことを示す通知を送信する。
【００９０】
ＣＰＵ４０１は原稿台ガラス２０２上に置かれた原稿の読み取りを終えた通知を受け取って、後述のＳ６０７に記載の処理を実行する。
【００９１】
原稿トレイ３０に原稿が載置されていると判定された場合、ＣＰＵ４０１は原稿上の画像の読み取り（スキャン）に係る一連の処理が正常に終了したか否かを表すためのフラグであるスキャン終了フラグの値を初期化する（Ｓ６０３）。スキャン終了フラグの値はＲＡＭ４０６に記憶される。本実施形態ではＣＰＵ４０１がスキャン終了フラグを「ＦＡＬＳＥ」に設定することでスキャン終了フラグが初期化される。尚、スキャン終了フラグの値が「ＴＲＵＥ」である場合、スキャンが正常に終了したことを表す。一方、スキャン終了フラグの値が「ＦＡＬＳＥ」である場合、スキャンが正常に終了しなかったことを表す。例えば、スキャンの中止指示を受け付けた場合や、コピージョブの実行がキャンセルされた場合等において、ＣＰＵ４０１は、スキャンが正常に終了しなかったと判断し、スキャン終了フラグの値を「ＦＡＬＳＥ」で上書きする。
【００９２】
さらに、Ｓ６０３において、ＣＰＵ４０１はスキャンした原稿の枚数を管理するカウンタの値を１に設定する。当該カウンタはコントローラ部４００のＲＡＭ４０６に記憶される。
【００９３】
Ｓ６０３の処理を実行した後、画像形成装置１０００はスキャン処理を実行する（Ｓ６０４）。Ｓ６０４で画像形成装置１０００が実行するスキャン処理については、図１０を用いて後述する。
【００９４】
スキャン処理を実行した後、ＣＰＵ４０１は、スキャン終了フラグの値が「ＴＲＵＥ」であるかを判定する（Ｓ６０５）。
【００９５】
Ｓ８０５において、スキャン終了フラグが「ＴＲＵＥ」でない場合、すなわちスキャン終了フラグが「ＦＡＬＳＥ」である場合、ＣＰＵ４０１は後述するＳ６０８に記載の処理を実行する。
【００９６】
Ｓ８０５においてスキャン終了フラグの値が「ＴＲＵＥ」である場合、ＣＰＵ４０１はＨＤＤ４０９に記憶した画像データを読み出し、印刷処理を実行する（Ｓ６０７）。Ｓ６０７において、ＣＰＵ４０１は画像形成部５００を制御して画像を印刷する。このとき、フィニッシャユニット５０５が「コーナー設定」画面１１０１または「ダブル設定」画面１１０２を介して設定されたステイプル位置をステイプルで綴じる。
【００９７】
印刷処理が完了したのち、ＣＰＵ４０１はＨＤＤ４０９に記憶した画像データを削除する（Ｓ６０８）。Ｓ６０８に記載の処理を完了した後、ＣＰＵ４０１は本フローチャートに記載の処理を終了する。
【００９８】
図１０は、図９のＳ６０４に記載のスキャン処理を示すフローチャートである。図１０のＳ７０２、Ｓ７０４、Ｓ７０５、Ｓ７０７〜Ｓ７０９、Ｓ７１１〜Ｓ７１７に記載の処理は、コントローラ部４００のＣＰＵ４０１がＲＯＭ４０７に記憶されたプログラムを実行することで処理を実現される。図１０のＳ７０１、Ｓ７０３、Ｓ７０６、Ｓ７１６は自動原稿給紙部１００のＣＰＵ３００がＲＯＭ３０１に記憶されたプログラムを実行することで処理を実現される。図１０のＳ７１０の処理は画像読取部２００のＣＰＵ３２１がＲＯＭ３２２に記憶されたプログラムを実行することで処理が実現される。
【００９９】
ＣＰＵ３００は、画像読取部２００のＣＰＵ３２１に対して、原稿トレイ３０上に載置された原稿を搬送する（Ｓ７０１）。
【０１００】
Ｓ７０１に記載の処理を実行した後、ＣＰＵ４０１は、ＲＡＭ４０６に記憶されている設定情報を参照し、綴じ原稿検知が有効であるかどうかを判定する（Ｓ７０２）。
【０１０１】
綴じ原稿検知が有効に設定されている場合、ＡＤＦ１００のＣＰＵ３００は、図１１を用いて後述する処理を実行する（Ｓ１２００）。綴じ原稿検知が無効に設定されている場合、ＣＰＵ４０１は後述するＳ７０６に処理を進める。
【０１０２】
Ｓ７０３において、ＣＰＵ３００は、Ｓ１２００で原稿が綴じられていることを検知したか否かを判定する。ＣＰＵ３００は、図１１を用いて後述する原稿綴じフラグを参照し、搬送した原稿が綴じられた原稿であるか否かを判定する。Ｓ７０３において原稿が綴じられた原稿であると判定した場合、ＣＰＵ４０１は、後述するＳ７０４に処理を進める。一方で、Ｓ７０３において搬送された原稿が綴じられた原稿でないと判定された場合、ＣＰＵ４０１は、後述のＳ７０６に処理を進める。
【０１０３】
Ｓ７０４において、ＣＰＵ４０１は、ＲＡＭ４０６に記憶されているカウンタを参照し、現在搬送中の原稿が１枚目であるかどうかを判定する。本実施形態では、原稿の搬送を開始して１枚目の原稿が綴じられた原稿である場合のみ、原稿の搬送を中断したのち、当該コピージョブのやり直しを始める前にユーザがステイプル設定を行うことができるものとする。２枚目以降の原稿で原稿が綴じられていることを検知する場合とは、下記のような場合である。１枚目の原稿は綴じられておらず、２枚目以降の原稿がステイプル等で綴じられている。このような場合に、１枚目の原稿は読取を完了し、当該画像が印刷された用紙が画像形成装置外に排紙されていることがある。このとき、コピージョブをやり直す前にステイプル設定をしてしまうと、原稿の２枚目以降のみを綴じることとなる。そのため、先頭ページから画像の印刷された用紙をステイプルで綴じて出力したいユーザの所望する出力と異なる形で出力されてしまう可能性がある。そこで、２枚目以降の原稿の読み取り時に原稿が綴じられていることを検知した場合には、再度コピージョブを実行する前にユーザがステイプルの設定を行わないようにする。
【０１０４】
綴じられていることが検知された原稿が１枚目の原稿であった場合、ＣＰＵ４０１はＲＡＭ４０６に記憶されている設定情報を参照し、出力設定にステイプル設定がされているか否かを判定する（Ｓ７０５）。
【０１０５】
Ｓ７０５において、ステイプルの設定がなされていない場合、画像形成装置１０００は紙詰まりの処理を実行する（Ｓ８００）。Ｓ８００における紙詰まりの処理について図８を用いて後述する。
【０１０６】
Ｓ８００に記載の紙詰まりの処理を完了した後、ＣＰＵ４０１は図８に記載の通知画面１００１をＬＣＤディスプレイ６００に表示する（Ｓ７０７）。Ｓ７０７において、通知画面１００１をＬＣＤディスプレイ６００に表示した後、ＣＰＵ４０１は通知画面１００１において、ステイプル設定が受け付けられたか否かを判定する（Ｓ７１１）。ＣＰＵ４０１が、通知画面１００１において「ステイプル設定」１００４のタップ操作を受け付けて、「コーナー設定」画面１１０１または「ダブル設定」画面１１０２をＬＣＤディスプレイ６００に表示する。「コーナー設定」画面１１０１または「ダブル設定」画面１１０２において、「ＯＫ」がタップ操作されたことに従って、ＣＰＵ４０１はステイプル設定を受け付けたと判定する。
【０１０７】
ステイプル設定が受け付けられた場合、ＣＰＵ４０１は受け付けられたステイプル設定をＲＡＭ４０６に記憶する（Ｓ７１３）。ステイプル設定をＲＡＭ４０６に記憶した後、ＣＰＵ４０１は処理を後述のＳ７１４に進める。また、Ｓ７１２においてステイプル設定を受け付けない場合、ＣＰＵ４０１は処理を後述のＳ７１４に処理を進める。
【０１０８】
ＣＰＵ４０１は、コピージョブを中断する操作を受け付けたか否かを判定する（Ｓ７１４）。Ｓ７１４において、ＣＰＵ４０１は、ＬＣＤディスプレイ６００に表示された通知画面１００１において「中止」１００５がタップ操作されたことに従って、コピージョブの中止が指示されたと判定する。Ｓ７１４において、コピージョブの中止を受け付けた場合、ＣＰＵ４０１は図１０に記載の処理を終了する。
【０１０９】
Ｓ７１４において、コピージョブを中止する指示を受け付けなかった場合、ＣＰＵ４０１はスタートキーが押下されたか否かを判定する（Ｓ７１５）。スタートキーが押下されなかった場合、ＣＰＵ４０１は処理をＳ７１２に戻す。スタートキーが押下された場合、ＣＰＵ４０１は、処理をＳ７０１に戻す。
【０１１０】
Ｓ７０４において、綴じられていることが検知された原稿が２枚目以降の原稿であった場合、また、Ｓ７０５において、ステイプル設定がなされていると判定された場合、ＣＰＵ４０１は後述するＳ８００に記載の紙詰まり処理を実行する。その後、ＣＰＵ４０１はＬＣＤディスプレイ６００に通知画面１００２を表示する（Ｓ７０８）。その後、ＣＰＵ４０１はＳ７１４およびＳ７１５の処理を実行する。
【０１１１】
Ｓ７０２において、綴じ原稿の検知が無効に設定されていた場合、また、Ｓ７０３において、原稿が綴じられていることが検知されなかった場合、ＡＤＦ１００のＣＰＵ３００は紙詰まりを検知したか否かを判定する（Ｓ７０６）。例えば、画像読取部２００のＣＰＵ３２１は、搬送開始から一定時間（ｔ１）経過しても、分離センサ２４で原稿を検知出来ない場合、紙詰まりが発生したと判断する。そして、ＣＰＵ３２１は、コントローラ部４００のＣＰＵ４０１に紙詰まりの発生を通知する。ＣＰＵ３２１から紙詰まりの発生を通知されたＣＰＵ４０１は、Ｓ７０６において紙詰まりを検知する。
【０１１２】
Ｓ７０６において、紙詰まりが検知された場合、ＣＰＵ４０１はＳ８００で後述する紙詰まりの処理を実行する。そして、紙詰まりの処理を実行した後、ＣＰＵ４０１はＬＣＤディスプレイ６００に通知画面１００３を表示する（Ｓ７０９）。Ｓ７０６で検出される紙詰まりは、綴じられた原稿を検知したことによる、紙詰まりではない。そのため、通知画面１００３は原稿が綴じられていること、および、ステイプル設定を行うことを通知せず、原稿を１枚目にもどして読み取りを開始することをユーザに促す。以降、ＣＰＵ４０１はＳ７１４、Ｓ７１５に記載の処理を実行する。
【０１１３】
Ｓ７０６において、紙詰まりが検知されなかった場合、画像読取部２００のＣＰＵ３２１は、搬送された原稿上の画像を読み取る（Ｓ７１０）。ＣＰＵ４０１は原稿上の画像を読み取り画像データを生成し、コントローラ部４００のＣＰＵ４０１に生成した画像データを送信する。
【０１１４】
その後、ＣＰＵ４０１は、画像読取部２００のＣＰＵ３２１が生成した画像データを受信して、ＨＤＤ４０９に記憶する（Ｓ７１１）。
【０１１５】
続いて、ＡＤＦ１００のＣＰＵ３００は、原稿トレイ３０に原稿が載置されているかを判定する（Ｓ７１６）。ＣＰＵ３００は、原稿検知センサ２３による検知結果を取得して、原稿トレイ３０に原稿が載置されているか否かを判定する。ＡＤＦ１００のＣＰＵ３００は原稿検知センサ２３による検知結果を、コントローラ部４００のＣＰＵ４０１に送信する。原稿が載置されていると判定された場合、ＣＰＵ４０１は処理をＳ７０１に戻す。原稿が載置されていないと判定された場合、原稿トレイ３０に載置された原稿が全てＡＤＦ１００により搬送され、当該原稿上の画像が読み取られたこととなる。そこで、ＣＰＵ４０１はスキャン終了フラグを「ＴＲＵＥ」に設定する（Ｓ７１７）。その後、ＣＰＵ４０１は本フローチャートに記載の処理を終了する。
【０１１６】
本実施形態では、図１０のＳ７０７において、ＣＰＵ４０１が通知画面１００１をＬＣＤディスプレイ６００に表示する。通知画面１００１は、搬送の中断された原稿がステイプル設定のされていない原稿であることをユーザに通知する画面である。このようにすることで、ユーザは当該コピージョブに対して綴じ処理の設定がなされていないことを知ることができる。また、通知画面１００１は「ステイプル設定」１００４を表示する。そして、Ｓ７１２においてＣＰＵ４０１はステイプル設定がなされたことを検知する。このようにすることで、ステイプル設定がなされていないコピージョブの実行中に、綴じられた原稿が搬送されたことが検知された場合に、ユーザが当該原稿の綴じ処理設定を行うことができる。
【０１１７】
次に、図１１を用いて、図１０のＳ１２００において、ＡＤＦ１００のＣＰＵ３００が実行する処理を説明する。本フローチャートに記載の処理は、ＡＤＦ１００のＣＰＵ３００がＲＯＭ３０１に記憶されたプログラムを実行することで実現される。
【０１１８】
ＣＰＵ３００は、ＲＡＭ３０２に記憶された原稿綴じフラグをＯＦＦに設定し、当該フグを初期化する（Ｓ１２０１）。
【０１１９】
ＣＰＵ３００は、原稿トレイ３０に載置された原稿を所定の距離だけ搬送する（Ｓ１２０２）。所定の距離とは、綴じられた原稿を搬送したとしても、原稿が破れないであろう距離であることが望ましい。本実施形態では、たとえば、搬送を開始された原稿の先端が分離パッド２１に到達する程度の距離であるとする。本実施形態では、Ｓ１２０１において、ＣＰＵ３００が原稿を所定の距離だけ搬送するとしたが、Ｓ１２０１において、ＣＰＵ３００が原稿を所定時間搬送するとしてもよい。
【０１２０】
ＣＰＵ３００は、測距センサ２２を用いて、測距センサ２２から原稿までの距離（ｐ１）を計測する（Ｓ１２０３）。そして、ＣＰＵ３００は測距センサ２２の計測した距離（ｐ１）が所定の閾値よりも大きいかを判定する（Ｓ１２０４）。所定の閾値とは、ステイプル等で綴じられた原稿をＡＤＦ１００が搬送したときに、当該原稿の形状が歪み、原稿の一部が跳ね上がったときの、測距センサ２２と原稿の距離である。もちろん、所定の閾値は原稿の一部が跳ね上がったときの、測距センサ２２と原稿の距離よりも幾分か長い距離であってもよい。
【０１２１】
Ｓ１２０４において、測距センサ２２により計測された距離が所定の閾値よりも長い場合、ＡＤＦ１００のＣＰＵ３００は、図１１に記載の処理を終了する。
【０１２２】
Ｓ１２０４において、測距センサ２２により計測された距離が所定の閾値以下の場合、ＣＰＵ３００は、ＲＡＭ３０２に記憶される原稿綴じフラグをＯＮに設定する（Ｓ１２０５）。そして、画像形成装置１０００は本フローチャートに記載の処理を終了する（Ｓ１２０４）。
【０１２３】
次に、図１２を用いて、Ｓ８００において実行される紙詰まりの処理について説明する。図１２に記載のフローチャートのＳ８０１およびＳ８０３は、ＣＰＵ３００がＲＯＭ３０１に記憶されているプログラムを読み出して実行することにより実現される。図８のＳ８０２に記載の処理は、ＣＰＵ４０１がＲＯＭ４０７に記憶されたプログラムを読み出して実行することにより実現される。
【０１２４】
ＣＰＵ３００は、ＣＰＵ４０１からの指示に従って原稿の搬送を中断する（Ｓ８０１）。その後、ＣＰＵ３２１は原稿の搬送を中断したことをＣＰＵ４０１に通知する。
【０１２５】
ＣＰＵ４０１は、ＣＰＵ３２１から原稿の搬送が中断されたことを示す通知を受け取り、図７に示す画面９００をＬＣＤディスプレイ６００に表示する（Ｓ８０２）。
【０１２６】
ＣＰＵ３００は、各種センサ３０４の値を取得し、紙詰まりが発生しているか否かを判定する（Ｓ８０３）。紙詰まりが解消されたと判定された場合、ＣＰＵ４０１はＬＣＤディスプレイ６００に表示された画面９００を非表示にし、本フローチャートに記載の処理を終了する。紙詰まりが解消されていないと判定された場合、ＣＰＵ４０１はＳ８０３に記載の処理を繰り返し行う。
【０１２７】
上記のように、本実施形態では、ＡＤＦ１００が綴じられた状態の原稿を搬送した場合、画像形成装置１０００が実行するコピージョブに対して、出力する用紙を綴じる設定がなされているか否かを判定する。そして、実行するコピージョブに対して出力された原稿を綴じる綴じ処理設定がなされていない場合、搬送された原稿が綴じられた原稿であることをユーザに通知する通知画面を表示する。さらに、当該コピージョブに対して、綴じ処理設定がなされていない場合、ＬＣＤディスプレイ６００は綴じ処理の設定がなされていないことをユーザに通知する画面を表示する。このようにすることで、綴じてある原稿をコピーするユーザが対して、綴じ処理設定を行っていないことを通知することができる。
【０１２８】
さらに、当該コピージョブに対して綴じ処理の設定がなされていないことを通知する画面において、綴じ処理を設定することができる。このようにすることで、ユーザは当該コピージョブを中止することなく、画像の形成された用紙をステイプルで綴じる綴じ処理設定を行うことができる。
【０１２９】
また、本実施形態では、自動原稿搬送装置が綴じられていることを検知した原稿が、２枚目以降に読み取った原稿であった場合、原稿の搬送を中断し、原稿をはじめの状態に戻して、当該原稿の読み取りの開始を促す画面を表示する。このとき、当該画面は、綴じ処理設定がなされていないことの通知を行わず、綴じ処理設定の受け付けも行わない。このようにすることで、ＡＤＦ１００に載置された原稿のうち綴じられていなかった原稿を読み取って得られた画像が印刷された用紙と綴じられていた原稿を読み取って得られた画像が印刷された用紙をステイプルで綴じてしまうことを防ぐことができる。
【０１３０】
（その他の実施形態）
本実施形態では、綴じ処理設定が設定されていないジョブの実行中に、搬送された原稿が綴じられた原稿であることが検知して、ＬＣＤディスプレイ６００に通知画面１００１が表示される。そして、ユーザが通知画面１００１において「ステイプル設定」１００４をタップ操作すると、ＬＣＤディスプレイ６００に「コーナー設定」画面１１０１または「ダブル設定」画面１１０２が表示されるとした。通知画面１００１において、用紙の綴じ方や綴じる箇所を設定することができるとしてもよい。たとえば、通知画面１００１に「コーナー」ボタンと「ダブル」ボタンを表示し、ユーザがいずれかを選択したことに従って、綴じ箇所を選択するボタンを通知画面１００１に表示するとしてもよい。このようにすることで、ユーザは通知画面１００１から画面遷移することなく、綴じ処理設定を行うことができる。
【０１３１】
また、ＬＣＤディスプレイ６００に通知画面１００１を表示し、綴じ処理設定を行う方法を通知する音声ガイダンスを流すとしてもよい。例えば、画像形成装置１０００はＬＣＤディスプレイ６００に通知画面１００１を表示し、ステイプル設定を行う場合は、テンキー６０１の０キーを押下してくださいと言った旨の音声を流す。さらにテンキー６０１の０キーが押下されたことを検知して、綴じ種類の設定も同様に１か所綴じは１キー、２か所綴じは２キーを押下してくださいと言った旨の音声を流し、ステイプル設定を行うようにしてもよい。
【０１３２】
さらに、本実施形態では、通知画面１００１は、綴じ処理設定がなされていないコピージョブであることを通知し、綴じ処理設定をすることを促すメッセージを表示してもよい。たとえば、通知画面１００１が「ステイプル設定がなされていません。ステイプル設定をする場合、中止ボタンを押して、コピー画面からステイプル設定を設定してください。」というメッセージを表示してもよい。
【０１３３】
本実施形態では、測距センサを用いて、測距センサから原稿の最上面までの距離を算出し、算出された距離が閾値よりも短いか否かに基づいて、ＡＤＦが搬送した原稿が綴じられた原稿であるか否かを判定した。ＡＤＦにより搬送された原稿が綴じられた原稿であるか否かを判定する方法は上記の方法に寄らない。たとえば、原稿の搬送開始から一定時間おきに測距センサにより、測距センサから原稿の最上面までの距離を計測する。測距センサが直前に計測した距離からの変化量を用いて、測距センサの計測する距離の変化量が所定の値以上であれば、搬送中の原稿の形状が歪んでいることを示しており、搬送中の原稿が綴じられた原稿であると判定してもよい。
【０１３４】
また、ＡＤＦの内部の用紙の搬送される方向と垂直となる方向に２つ、用紙の有無を検知するセンサを設ける。そして、原稿の搬送が開始されてから、２つセンサのうちいずれか一方のみで原稿が検知された場合に、搬送中の原稿が綴じられた原稿であると判定してもよい。ステイプルやクリップで綴じられた原稿は、原稿の綴じ部の厚みが原稿１枚分より厚く、分離ローラ２と分離パッド２１の間などで搬送が遅れることが考えられる。原稿の綴じ部と反対の部分が先に搬送される。そのため、ＡＤＦの内部に設けられた２つのセンサのうちいずれか一方のみが用紙を検知した場合に、搬送中の原稿が綴じられた原稿であることを検知することができる。上記では、センサの数を２つとしたが、センサを複数有するとすればよい。このとき、画像形成装置は、複数のセンサのうち、いずれか１つのセンサにおいて用紙が検出され、かつ、いずれか１つのセンサで用紙が検出されない場合に用紙が綴じられていると判定する。
【０１３５】
さらに、ＡＤＦ内部に金属を探知するセンサを設けて、当該センサを用いて搬送中の原稿が綴じられていることを検知してもよい。原稿を綴じる場合、金属製の針やクリップが用いられることが多い。そこで、測距センサ２２の位置に、測距センサの代わりに金属を検知するセンサを設ける。このようにすることで、ステイプルやクリップで綴じられた原稿を検知することができる。
【０１３６】
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【０１３７】
また、各フローチャートに基づく処理を実行するよう設計された制御回路がＣＰＵ３００、ＣＰＵ３２１、ＣＰＵ４０１の代わりに用いられていてもよい。
【図１】
2019047269.tif 000003
【図２】
2019047269.tif 000004
【図３】
2019047269.tif 000005
【図４】
2019047269.tif 000006
【図５】
2019047269.tif 000007
【図６】
2019047269.tif 000008
【図７】
2019047269.tif 000009
【図８】
2019047269.tif 000010
【図９】
2019047269.tif 000011
【図１０】
2019047269.tif 000012
【図１１】
2019047269.tif 000013
【図１２】
2019047269.tif 000014